(57)【要約】【課題】操作負担を軽減する。【解決手段】実施形態の録画装置は、取得手段と、第１の記憶手段と、選択受付手段と、変換手段と、出力手段と、を備える。取得手段は、再生装置における動画データの再生能力を取得する。第１の記憶手段は、再生装置を識別する識別情報と対応付けて、取得手段により取得された再生能力を、複数記憶する。選択受付手段は、第１の記憶手段に記憶された再生装置の識別情報を、複数選択を受付可能とする。変換手段は、選択受付手段で識別情報の複数選択を受け付けた場合に、当該複数の識別情報のそれぞれに対応付けられた、複数の再生能力に共通して再生可能な動画データに、取得した動画データを変換する。出力手段は、選択受付部で複数選択された識別情報で識別される複数の再生装置のうち、任意の再生装置が読み出し可能な出力先に対して、変換手段で変換した後の動画データを出力する。【選択図】図１
2012050029.tif 000002
【特許請求の範囲】
【請求項１】
再生装置における動画データの再生能力を取得する取得手段と、
前記再生装置を識別する識別情報と対応付けて、前記取得手段により取得された前記再生能力を、複数記憶する第１の記憶手段と、
前記第１の記憶手段に記憶された前記再生装置の前記識別情報を、複数選択を受付可能な選択受付手段と、
前記選択受付手段で前記識別情報の複数選択を受け付けた場合に、当該複数の識別情報のそれぞれに対応付けられた、複数の前記再生能力に共通して再生可能な動画データに、動画データを変換する変換手段と、
前記選択受付部で複数選択された前記識別情報で識別される複数の再生装置のうち、任意の再生装置で読み出し可能な出力先に対して、前記変換手段で変換した後の前記動画データを出力する出力手段と、
を備えることを特徴とする録画装置。
【請求項２】
前記変換手段は、複数の前記再生能力のうち、最も低い再生能力で再生可能な動画データに、取得した動画データを変換すること、
を特徴とする請求項１に記載の録画装置。
【請求項３】
前記変換手段は、複数の前記再生能力のそれぞれに応じた動画データに、取得した動画データを変換すること、
を特徴とする請求項１に記載の録画装置。
【請求項４】
前記出力先となる第２の記憶手段が接続された際、前記変換手段で変換した前記動画データのうち、当該第２の記憶手段に格納された前記識別情報で識別される再生装置で再生可能な動画データの一覧を表示する表示手段と、
前記一覧から動画データの選択を受け付ける動画選択受付手段と、をさらに備え、
前記出力手段は、前記動画選択受付手段で選択を受け付けた前記動画データを、前記第２の記憶手段に対して出力すること、
を特徴とする請求項１乃至３のいずれか１つに記載の録画装置。
【請求項５】
前記出力手段は、前記出力先となる第２の記憶手段が接続された場合に、前記変換手段で変換した前記動画データのうち、当該第２の記憶手段に格納された前記識別情報で識別される再生装置で再生可能な動画データを自動的に出力すること、
を特徴とする請求項１乃至３のいずれか１つに記載の録画装置。
【請求項６】
前記出力手段の前記出力先が、前記再生装置に内蔵された記憶手段、又は前記再生装置に着脱可能な可搬記憶媒体であること、
を特徴とする請求項１乃至５のいずれか１つに記載の録画装置。
【請求項７】
前記取得手段は、前記出力先となる第２の記憶手段に記録された、前記再生装置を識別する識別情報と、当該再生装置で再生可能な動画データの最高解像度又はビットレートのうちいずれか１つ以上を特定する再生能力と、を取得すること、
を特徴とする請求項１乃至６のいずれか１つに記載の録画装置。
【請求項８】
録画装置で実行される制御方法であって
取得手段が、再生装置における動画データの再生能力を取得する取得ステップと、
前記再生装置を識別する識別情報と対応付けて、前記取得ステップにより取得された前記再生能力を、第１の記憶手段に複数記憶する第１の記憶ステップと、
選択受付手段が、前記第１の記憶手段に記憶された前記再生装置の前記識別情報を、複数選択を受付可能な選択受付ステップと、
変換手段が、前記選択受付ステップで前記識別情報の複数選択を受け付けた場合に、当該複数の識別情報のそれぞれに対応付けられた、複数の前記再生能力に共通して再生可能な動画データに、取得した動画データを変換する変換ステップと、
出力手段が、前記選択受付ステップで複数選択された前記識別情報で識別される複数の再生装置のうち、任意の再生装置が読み出し可能な出力先に対して、前記変換ステップで変換した後の前記動画データを出力する出力ステップと、
を含むことを特徴とする制御方法。
【発明の詳細な説明】
【技術分野】
【０００１】
本発明の実施形態は、録画装置、及びその制御方法に関する。
【背景技術】
【０００２】
従来から、映像情報などのデータに対して圧縮／伸張を行う様々な技術が規格化されている。当該提案に従い、データについて様々な形式で記録または再生を行う録画装置が提案されている。
【０００３】
一方、コンピュータ技術の向上に伴い、ＰＣ、ＤＶＤレコーダやテレビジョン受像装置に限らず、携帯電話や携帯可能なゲーム機を含む携帯端末などにおいても動画コンテンツが可能となる傾向にある。
【０００４】
そして、近年、携帯端末を用いて視聴したいという要求に伴い、ＤＶＤレコーダやテレビジョン受像装置で録画した動画コンテンツを、携帯端末に内の記録媒体に格納して持ち運び可能とする技術が提案されている。
【先行技術文献】
【特許文献】
【０００５】
【特許文献１】特開２００５−１４１８１３号公報
【発明の概要】
【発明が解決しようとする課題】
【０００６】
しかしながら、従来技術においては、携帯端末では機種毎に動画データの再生能力が異なることも多い。このため、ユーザが携帯端末で持ち運ぶために、当該携帯端末に適切な動画データの形式を選択するのが難しい。特に、複数の機種で動画データを持ち運びたい場合に、動画データの形式の選択が難しくなる。
【０００７】
本発明は、上記に鑑みてなされたものであって、複数の種類の再生装置で再生可能な動画データを出力可能な録画装置、及びその制御方法を提供することを目的とする。
【課題を解決するための手段】
【０００８】
実施形態の録画装置は、取得手段と、第１の記憶手段と、選択受付手段と、変換手段と、出力手段と、を備える。取得手段は、再生装置における動画データの再生能力を取得する。第１の記憶手段は、再生装置を識別する識別情報と対応付けて、取得手段により取得された再生能力を、複数記憶する。選択受付手段は、第１の記憶手段に記憶された再生装置の識別情報を、複数選択を受付可能とする。変換手段は、選択受付手段で識別情報の複数選択を受け付けた場合に、当該複数の識別情報のそれぞれに対応付けられた、複数の再生能力に共通して再生可能な動画データに、取得した動画データを変換する。出力手段は、選択受付部で複数選択された識別情報で識別される複数の再生装置のうち、任意の再生装置が読み出し可能な出力先に対して、変換手段で変換した後の動画データを出力する。
【図面の簡単な説明】
【０００９】
【図１】図１は、実施形態にかかる番組録画装置の構成を示すブロック図である。
【図２】図２は、再生機器管理ＤＢのテーブル構造を示した図である。
【図３】図３は、再生機器選択受付部が表示する再生機器選択メニューを示した図である。
【図４】図４は、番組リスト表示部が表示する表示メニューの例を示した図である。
【図５】図５は、本実施の形態にかかる番組録画装置における、再生機器の再生能力を記憶する処理の手順を示すフローチャートである。
【図６】図６は、本実施の形態にかかる番組録画装置における、予約録画の処理の手順を示すフローチャートである。
【図７】図７は、本実施の形態にかかる番組録画装置における、予約録画処理の手順を示すフローチャートである。
【図８】図８は、本実施の形態にかかる番組録画装置における、可搬記憶媒体１５０に番組コンテンツの出力（ダビング）処理の手順を示すフローチャートである。
【発明を実施するための形態】
【００１０】
以下、添付図面を参照して、録画装置及び録画方法の実施形態を詳細に説明する。なお、本実施の形態では、デジタル放送で放送される番組を利用可能なＨＤＤレコーダやＨＤＤ＋ＤＶＤ（Digital  Versatile  Disc）レコーダ装置等の録画装置に適用した例を用いて説明するが、これに限定するものではない。例えば、複数チャンネル番号の番組のコンテンツデータを、内蔵するＨＤＤに録画することができる液晶ディスプレイやプラズマディスプレイ等を備えたテレビジョン受信装置にも適用することができる。
【００１１】
図１は、実施形態にかかる番組録画装置１００の構成を示すブロック図である。本実施の形態においては、動画データが、デジタル放送信号として受信した番組コンテンツの例とする。
【００１２】
ところで、従来から、ハイビジョン画質の番組コンテンツは、再生機器側についても高い再生能力を要求するため、携帯電話端末などの持ち出し先の再生機器では再生できないことが多い。そこで、再生機器の再生能力に応じて、受信したハイビジョン画質の番組コンテンツに対して符号化コーデックを変更もしくは変換するトランスコードや、符号化ビットレートや画質の変更を行うダウンコンバージョンもしくはアップコンバージョンを行う必要がある。以下、これらトランスコードやコンバージョン処理をトランスコードと総称する。そこで、本実施の形態にかかる番組録画装置１００では、持ち出し先の再生機器に適したトランスコードを行うために以下の構成を備えることとした。
【００１３】
図１に示す番組録画装置１００は、再生機器管理ＤＢ１０１と、番組予約情報管理部１０２と、番組ＤＢ１０３と、再生能力取得部１０４と、ＥＰＧ処理部１０５と、番組予約部１０６と、再生機器選択受付部１０７と、チューナー１１５と、ハイビジョン画質録画部１０８と、画質選択部１０９と、トランスコード部１１０と、番組リスト表示部１１１と、番組選択受付部１１２と、番組ダビング部１１３と、可搬記憶媒体接続部１１４と、を備えている。
【００１４】
チューナー１１５は、図示しないアンテナから、番組コンテンツや、制御データが多重化されたトランスポートストリームを放送局から受信する。そして、チューナー１１５は、受信した番組コンテンツや、トランスポートストリームを、ハイビジョン画質録画部１０８及びＥＰＧ処理部１０５に出力する。
【００１５】
可搬記憶媒体接続部１１４は、可搬記憶媒体１５０の接続を受け付ける。この可搬記憶媒体１５０は、再生機器に着脱可能な可搬記憶媒体とする。このような可搬記憶媒体１５０としては、例えばＳＤメモリーカードなどがある。つまり、番組録画装置１００は、可搬記憶媒体接続部１１４に接続された可搬記憶媒体１５０を介して、再生機器との間でデータの取得、受け渡しを行うことを可能とする。また、可搬記憶媒体接続部１１４は優先接続でもよい。可搬記憶媒体接続部１１４は、例えば可搬記憶媒体１５０の接続を受け付ける図示しないメモリーリーダーライター装置がＵＳＢで接続され可搬記憶媒体１５０の読み書きをすることも可能である。
【００１６】
再生機器管理ＤＢ１０１は、番組コンテンツの持ち出し先となり得る再生機器について、当該再生機器の機種毎の再生能力を記憶する。持ち出し先となり得る再生機器とは、当該番組録画装置１００を利用するユーザが所有する携帯電話端末等が考えられる。例えば、番組録画装置１００を家族で利用する場合、再生機器管理ＤＢ１０１には、家族全員の携帯電話端末の各機種の再生能力が記憶されている。本実施の形態では、再生機器が、携帯電話端末の例について説明するが、持ち出し先の再生機器を携帯電話端末に制限するものではない。
【００１７】
図２は、再生機器管理ＤＢ１０１のテーブル構造を示した図である。図２に示すように、再生機器管理ＤＢ１０１は、機種名と、対応解像度、ビットレートと、自動転送フラグと、を対応付けて記憶する。機種は、携帯電話端末を識別する機種とする。再生機器管理ＤＢ１０１においては、再生能力として、対応解像度と、ビットレートと、を有する。
【００１８】
対応解像度は、各携帯電話端末で再生可能な最高解像度を示している。ビットレートも、各携帯電話端末で再生可能な最高ビットレートを示している。つまり、対応解像度及びビットレート共に、設定された値以下であれば再生可能となる。例えば、対応解像度に６４０×４８０が設定されている場合、解像度６４０×３６０の動画コンテンツであっても再生可能となる。同様に、ビットレートに１．５Ｍｂｐｓが設定されている場合、ビットレート１．０Ｍｂｐｓの動画コンテンツであっても再生可能となる。
【００１９】
つまり、解像度６４０×４８０でビットレート１．５Ｍｂｐｓの動画コンテンツは、第１の携帯電話機種のみ再生可能であるのに対し、解像度６４０×３６０でビットレート１．０Ｍｂｐｓの動画コンテンツは、第１及び第２の携帯電話機種で再生可能となる。
【００２０】
自動転送フラグは、携帯電話端末に対して自動で転送を行うか否かを示したフラグであり、当該自動転送フラグはユーザの操作等によって設定されるものとする。
【００２１】
再生能力取得部１０４は、携帯電話端末の機種毎の動画コンテンツの再生能力を取得する。本実施の形態にかかる再生能力取得部１０４は、可搬記憶媒体接続部１１４を介して、可搬記憶媒体１５０に記憶された、携帯電話端末の機種名と、携帯電話端末の再生能力が示された再生能力情報と、を読み出すことで、携帯電話端末の機種毎の再生能力を取得する。そして、再生能力取得部１０４は、可搬記憶媒体１５０から取得した機種名と、再生能力（解像度とビットレート）と、を対応付けて、再生機器管理ＤＢ１０１に記憶させる。
【００２２】
このように、可搬記憶媒体１５０には、当該可搬記憶媒体１５０を装着する携帯電話端末を識別する機種名と、対応解像度及びビットレートを含んだ再生能力情報と、が予め記憶されているものとする。これを実現するために、携帯電話端末に可搬記憶媒体１５０が接続された場合、携帯電話端末は、ユーザからの操作に従って、当該可搬記憶媒体１５０に対して、当該携帯電話端末の機種名、及び当該携帯電話端末の再生能力を示す再生能力情報を、書き込む。これにより、当該可搬記憶媒体１５０を番組録画装置１００に接続した場合に、番組録画装置１００は、当該可搬記憶媒体１５０の接続先の携帯電話端末の機種と再生能力とを認識できる。
【００２３】
また、再生能力取得部１０４は、可搬記憶媒体１５０から再生能力を取得することに制限するものではなく、他の手法を用いて再生機器の再生能力を取得しても良い。例えば、再生能力取得部１０４は、（図示しない）リモートコントローラから、ユーザ入力に従って、携帯電話端末の機種の再生能力を取得しても良い。
【００２４】
さらには、再生能力取得部１０４は、（図示しない）ネットワークを介して接続された管理サーバから携帯電話端末の機種の再生能力を取得しても良い。例えば、再生能力取得部１０４が、当該管理サーバから、様々な携帯電話端末の機種名及び再生能力を取得し、取得した携帯電話端末の機種名の一覧を提示し、ユーザから選択を受け付けた携帯電話端末の機種名について、再生能力と対応付けて、再生機器管理ＤＢ１０１に記憶するなどが考えられる。
【００２５】
また、再生能力取得部１０４は、管理サーバから携帯電話端末の機種名の一覧を取得し、当該機種名一覧をユーザに提示し、ユーザから選択を受け付けた機種名と対応付けられた再生能力を、当該管理サーバから取得した上で、選択を受け付けた機種名と、取得した再生能力とを、対応付けて再生機器管理ＤＢ１０１に記憶しても良い。
【００２６】
なお、本実施の形態では、再生能力として解像度とビットレートの例について説明するが、再生能力を解像度やビットレートに制限するものではなく、例えば規格によって定められた再生能力を識別する指標であってもよい。例えば、トランスコードする際の再生能力として５段階程度のパラメータセットであっても良い。これらパラメータセットは、後方互換となることが前提となる。そして、複数の再生機器を持ち出し先として設定された場合、複数の再生機器のパラメータセットのうち、最低の画質が選択される。当該変形例にかかる番組録画装置１００の場合も、最低の再生能力のパラメータセットでトランスコードすることで、持ち出し先として設定されたすべての再生機器にて再生可能な番組コンテンツを生成できる。
【００２７】
ＥＰＧ処理部１０５は、テレビジョン放送信号のＣｈ１〜ＣｈＮのトランスポートストリームから、各チャンネルの各時間帯の番組を示す番組情報（ＳＩ情報）であるＥＰＧ情報を抽出し、ＥＰＧ処理部１０５内部の（図示しない）ＥＰＧメモリに記憶する。また、ＥＰＧ処理部１０５は、ＥＰＧメモリに記憶されているＥＰＧ情報を常に新しい内容に更新するため、Ｃｈ１〜ＣｈＮのトランスポートストリームからＥＰＧ情報を抽出し、抽出したＥＰＧ情報でＥＰＧメモリに記憶されているＥＰＧ情報を更新する。
【００２８】
番組予約部１０６は、番組予約録画を制御する機能を有する。番組予約部１０６は、番組予約受付時には、ＥＰＧ処理部１０５内のＥＰＧメモリからＥＰＧ情報を読み出して、電子番組表を表示する。そして、番組予約部１０６は、番組録画装置１００が備える（図示しない）操作部又は（図示しない）リモートコントローラを介して、設定された予約内容情報を番組予約情報管理部１０２に記憶する。予約内容情報は、番組コンテンツを予約するために必要は情報が含まれた情報であり、例えば、録画時間、録画チャンネル、録画番組のメタ情報などを含んでいる。
【００２９】
番組予約情報管理部１０２は、番組予約部１０６が入力を受け付けた予約内容情報を記憶する。そして、番組予約情報管理部１０２は、記録された予約内容情報に従って、予約番組を録画するよう、チューナー１１５及びハイビジョン画質録画部１０８を制御する。
【００３０】
再生機器選択受付部１０７は、番組予約部１０６で番組予約の受付時に、再生機器管理ＤＢ１０１に記憶された携帯電話端末の機種名の選択を受け付ける。本実施の形態にかかる再生機器選択受付部１０７は、携帯電話端末の機種を複数選択受付可能とする。
【００３１】
従来においては、ユーザが手動で、持ち出し先の再生機器の再生能力で再生可能となるよう、番組録画装置１００に対して設定したり、可搬記憶媒体１５０に記録されている再生機器の能力を読み取ってトランスコードが実行される必要があった。しかしながら、ユーザが手動で設定する場合、予約の度に設定するのは煩わしい上、再生機器が再生可能な設定値をデフォルト値として設定できればよいが、この場合、複数再生機器に対応できない。
【００３２】
また、再生能力が、可搬記憶媒体１５０に格納されている場合、番組コンテンツを録画する際に、当該可搬記憶媒体１５０を常に挿入しておく必要がある。また、直前に使用した可搬記憶媒体１５０から再生能力を取得して、当該再生能力を記憶しておけばよいが、この場合複数再生機器には対応できないという問題がある。つまり、再生能力が異なる複数の再生機器で持ち出す場合、パラメーター設定が煩わしくなる。
【００３３】
本実施の形態にかかる番組録画装置１００においては、番組予約部１０６が録画する番組の予約を受け付ける際に、予約対象の番組について、持ち出しを行うか否かの選択を受け付ける。そして、ユーザが予約対象の番組について持ち出しを行うことを選択した場合に、再生機器選択受付部１０７が、持ち出し先となる携帯電話端末の機種名の選択を受け付ける。本実施の形態にかかる再生機器選択受付部１０７は、機種名の選択を受け付けるために、再生機器管理ＤＢ１０１に記憶されていた携帯電話端末の機種名を全て読み出した後、読み出した機種名が一覧として配置された再生機器選択メニューを生成し、表示する。
【００３４】
図３は、再生機器選択受付部１０７が表示する再生機器選択メニューを示した図である。図３に示す再生機器選択メニューの例では、持ち出し先となり得る携帯電話端末の機種の一覧と、登録ボタンとが表示されている。
【００３５】
そして、再生機器選択受付部１０７が、再生機器選択メニューで携帯電話端末の機種名の選択を受け付けた場合、予約対象の番組と共に選択を受け付けた携帯電話端末の機種名を対応付けて、番組予約情報管理部１０２に格納する。これにより、番組録画装置１００が、選択を受け付けた当該携帯電話端末に持ち出し可能な形式にトランスコードされた番組コンテンツを生成する。また、携帯電話端末の機種の選択を複数受け付けた場合、番組録画装置１００は複数種類の携帯電話端末で再生可能な形式にトランスコードされた番組コンテンツを生成する。さらに、当該選択を受け付けた後に、予約録画を実行する前に、番組予約を行う際に持ち出し先となる携帯電話端末の追加、削除を可能としても良い。
【００３６】
図３に示す例では、再生機器選択受付部１０７が、第１の携帯電話機種のチェックボックス２０１がチェックされ、第２の携帯電話機種のチェックボックス２０２がチェックされた後、登録ボタン２０３の押下を受け付けた場合、第１の携帯電話機種と、第２の携帯電話機種と、で再生可能な番組コンテンツを生成する。
【００３７】
ところで、従来、再生機器に動画コンテンツを持ち出す際、番組録画装置１００に対して、再生機器の再生能力を設定して、当該再生能力に適切な番組コンテンツを生成する必要があった。このため、ユーザは再生機器の再生能力を認識する必要があった。
【００３８】
ユーザが再生機器の再生能力を認識する手法として、当該再生機器のマニュアルやサポートページの参照などを行う必要があった。他の手法としては、再生機器に装着した可搬記憶媒体１５０に対して、再生能力を書き出した後、当該可搬記憶媒体１５０を番組録画装置１００に接続することを、認識するなどがあった。このように、ユーザは、持ち出し先の再生機器の再生能力を把握していることは少ない。
【００３９】
そこで、本実施の形態にかかる番組録画装置１００が、再生機器の再生能力を保持し、番組を持ち出しする際にトランスコードしたい画質を指定するのではなく、持ち出し先の再生機器の選択を受け付けることとした。
【００４０】
これにより、本実施の形態にかかる番組録画装置１００では、ユーザから、持ち出し先の再生機器を選択するだけで、当該再生機器で再生可能な動画コンテンツを生成できる。
【００４１】
ハイビジョン画質録画部１０８は、番組予約情報管理部１０２からの指示に従い、チューナー１１５が受信する番組コンテンツを、番組ＤＢ１０３に記憶（録画）する。
【００４２】
番組ＤＢ１０３は、ハイビジョン画質録画部１０８により録画された番組コンテンツに関する情報を格納するデータベースとして機能する。番組ＤＢ１０３は、番組コンテンツ毎に、対応する番組情報や後処理の内容等の情報を関連付けて記憶する。また、番組ＤＢ１０３は、当該番組コンテンツを記憶する。なお、番組ＤＢ１０３で番組コンテンツとして格納される動画データは、ハイビジョン画質録画部１０８で録画されたものに制限するものではなく、例えば、ネットワーク等から入力された動画データでもよいし、可搬記憶媒体１５０等から読み出された動画データであってもよい。
【００４３】
画質選択部１０９は、ハイビジョン画質録画部１０８が録画している番組コンテンツについて、持ち出し先の携帯電話端末の機種が選択されている場合に、再生機器管理ＤＢ１０１を参照し、選択された携帯電話端末で再生可能な画質（本実施の形態では解像度及びビットレート）を選択する。
【００４４】
また、持ち出し先の携帯電話端末の機種が複数選択されている場合、画質選択部１０９は、選択された複数の機種で再生可能な画質を選択する。本実施の形態にかかる画質選択部１０９は、選択された複数機種と対応付けられた再生能力を再生機器管理ＤＢ１０１から読み出した後、読み出した複数の再生能力のうち、最も低い再生能力で再生可能な画質を選択する。
【００４５】
なお、本実施の形態にかかる画質選択部１０９では、複数機種が選択されている場合に、複数の再生能力のうち、最も低い再生能力で再生可能な画質を選択することとしたが、このような選択に制限するものではなく、例えば、番組録画装置１００の処理能力によっては、再生能力毎に適切な画質を選択することで、複数の画質を選択しても良い。
【００４６】
トランスコード部１１０は、ハイビジョン画質録画部１０８が録画する番組コンテンツに対して、画質選択部１０９で選択された画質に変換（トランスコード処理）する。そして、トランスコード部１１０は、再生機器選択受付部１０７で複数機種の複数選択を受け付けている場合、画質選択部１０９の選択に従って、選択された複数機種の再生能力に共通して再生可能な番組コンテンツに、受信した番組コンテンツを変換する。つまり、複数の携帯電話端末の再生能力のうち、最も低い再生能力で再生能力な番組コンテンツに変換される。そして、トランスコード部１１０は、変換した番組コンテンツを、番組ＤＢ１０３に記憶させる。
【００４７】
本実施の形態にかかるトランスコード部１１０で行われるトランスコード処理は、映像情報の復号（デコード）処理を行った上で、新たな形式に符号化（エンコード）する処理とする。本実施の形態では、受信した番組コンテンツをデコードした後、画質選択部１０９で選択された画質の条件に即した形式（例えばＭＰＥＧ−４  ＡＶＣ／Ｈ．２６４）の番組コンテンツへとエンコードする。なお、本明細書中では入力される映像情報の符号化方式と出力されるその符号化方式が同一であっても、エンコードするときの各種パラメータが異なればトランスコードに含まれるものとする。
【００４８】
番組リスト表示部１１１は、携帯電話端末で読み出し可能な可搬記憶媒体１５０が可搬記憶媒体接続部１１４に接続された際、変換した後の番組コンテンツのうち、当該可搬記憶媒体１５０の接続先である携帯電話端末で再生可能な番組コンテンツのリスト（一覧）を表示する。
【００４９】
本実施の形態にかかる番組リスト表示部１１１は、可搬記憶媒体接続部１１４に可搬記憶媒体１５０が接続された場合に、可搬記憶媒体１５０から、携帯電話端末の機種名を読み込む。そして、番組リスト表示部１１１は、再生機器管理ＤＢ１０１から、読み込んだ機種名と対応付けられた再生能力（解像度及びビットレート等）を取得する。その後、番組リスト表示部１１１は、取得した再生能力（解像度及びビットレート等）で再生可能な番組コンテンツの名称を番組ＤＢ１０３から読み出して、一覧として表示する。
【００５０】
図４は、番組リスト表示部１１１が表示する表示メニューの例を示した図である。図４に示すように、番組コンテンツ毎に、番組名、チャンネル、及び放送時間を表示する。
【００５１】
番組選択受付部１１２は、番組リスト表示部１１１が表示した一覧から、動画コンテンツの選択を受け付ける。図４に示す表示メニューでは、番組選択受付部１１２は、番組コンテンツ毎のチェックボックス（例えばチェックボックス３０１）に対するチェックを受け付ける。そして、番組選択受付部１１２は、ＳＵＢＭＩＴボタン３０２の押下を受け付けた場合に、チェックされた番組コンテンツが、可搬記憶媒体１５０に出力される。
【００５２】
番組ダビング部１１３は、再生機器選択受付部１０７で複数選択された携帯電話端末の機種のうち、任意の携帯電話端末が読み出し可能な可搬記憶媒体１５０に対して、当該携帯電話端末で再生可能な形式にトランスコードされた後の番組コンテンツを、可搬記憶媒体１５０に対してダビング（出力）もしくはムーブ（移動）する。
【００５３】
番組ダビング部１１３は、通常、番組選択受付部１１２で選択を受け付けた番組コンテンツを、可搬記憶媒体１５０に対してダビングするが、番組選択受付部１１２で選択されていない番組コンテンツを、可搬記憶媒体１５０に対してダビングもしくはムーブする状況もある。
【００５４】
例えば、可搬記憶媒体接続部１１４が接続を受け付けた可搬記憶媒体１５０の接続先の携帯電話端末が、再生機器管理ＤＢ１０１で自動転送が「する」に設定されている場合、番組リスト表示部１１１が番組一覧の表示を行うことなく、番組ダビング部１１３が、当該携帯電話端末の再生能力で再生可能な番組コンテンツを、自動的に、可搬記憶媒体１５０にダビング（出力）もしくはムーブ（移動）する。
【００５５】
このように、番組リスト表示部１１１が、接続先の携帯電話端末で再生可能な番組コンテンツの一覧を表示し、番組選択受付部１１２が、当該一覧から番組コンテンツの選択を受け付けた場合に、番組ダビング部１１３が、選択された番組コンテンツを、携帯電話端末で再生可能な番組コンテンツとして、可搬記憶媒体１５０に出力する。
【００５６】
本実施の形態では、番組録画装置１００からの番組コンテンツの出力先が、携帯電話端末に着脱可能な可搬記憶媒体１５０の場合について説明した。しかしながら、番組コンテンツの出力先を、可搬記憶媒体１５０に制限するものではなく、携帯電話端末内に内蔵された記憶手段であってもよい。つまり、番組録画装置１００と携帯電話端末とを直接接続しても良い。
【００５７】
このように、本実施の形態にかかる番組録画装置１００で録画された番組コンテンツを、携帯電話端末に持ち出す際に、携帯電話端末で再生可能な形式にトランスコードすることが必要となる。従来はトランスコードを行うために、携帯電話端末で再生可能な画質を設定する必要があったが、本実施の形態においては携帯電話端末の機種を選択するだけで、トランスコードが可能となる。これにより、ユーザは携帯電話端末の再生能力を調べる必要なく、持ち出しが可能となるため、利便性が向上する。
【００５８】
次に、本実施の形態にかかる番組録画装置１００における、再生機器の再生能力を記憶する処理について説明する。図５は、本実施の形態にかかる番組録画装置１００における上述した処理の手順を示すフローチャートである。
【００５９】
まず、可搬記憶媒体接続部１１４が、可搬記憶媒体１５０の接続を受け付ける（ステップＳ５０１）。当該可搬記憶媒体１５０は、携帯電話端末に装着するものであり、当該携帯電話端末の機種を識別する機種名と、当該携帯電話端末の再生能力を示した再生能力情報と、が予め記憶されている。
【００６０】
次に、再生能力取得部１０４が、接続された可搬記憶媒体１５０から、携帯電話端末の機種名と再生能力と、を取得する（ステップＳ５０２）。
【００６１】
その後、再生能力取得部１０４が取得した機種名と、再生能力（対応解像度及びビットレート）と、を対応付けて、再生機器管理ＤＢ１０１に記憶する（ステップＳ５０３）。その際、再生能力取得部１０４は、自動転送フラグも設定する。自動転送フラグには、デフォルトの値として転送“しない”と設定される。
【００６２】
上述した処理手順により、再生機器管理ＤＢ１０１に対して、番組コンテンツの持ち出し先となる携帯電話端末の再生能力が格納される。
【００６３】
次に、本実施の形態にかかる番組録画装置１００における、予約録画の処理について説明する。図６は、本実施の形態にかかる番組録画装置１００における上述した処理の手順を示すフローチャートである。
【００６４】
まず、番組予約部１０６が、電子番組表から番組の録画の予約を受け付ける（ステップＳ６０１）。そして、番組予約部１０６が、番組の予約録画を受け付ける際に、予約の対象である番組を、携帯電話端末で持ち出すか否かの選択を受け付ける（ステップＳ６０２）。持ち出さない旨の選択を受け付けた場合（ステップＳ６０２：Ｎｏ）、そのまま処理を終了する。
【００６５】
一方、番組予約部１０６が、携帯電話端末で持ち出す旨の選択を受け付けた場合（ステップＳ６０２：Ｙｅｓ）、再生機器選択受付部１０７が、再生機器管理ＤＢ１０１から、携帯電話端末の機種名を読み出し、読み出した携帯電話端末の機種名を、持ち出し先の一覧として表示する（ステップＳ６０３）。
【００６６】
そして、再生機器選択受付部１０７は、表示した一覧から、持ち出し先となる、携帯電話端末の機種名の選択を受け付ける（ステップＳ６０４）。
【００６７】
その後、再生機器選択受付部１０７は、選択を受け付けた機種名を、予約対象の番組と対応付けて、番組予約情報管理部１０２に記憶させる（ステップＳ６０５）。なお、複数の機種名の選択を受け付けた場合には、複数の機種名を、予約対象の番組と対応付けて、番組予約情報管理部１０２に記憶させる。
【００６８】
これにより、予約録画を行う際に、トランスコードするために必要な情報が番組予約情報管理部１０２に格納される。
【００６９】
次に、本実施の形態にかかる番組録画装置１００における、予約録画処理について説明する。図７は、本実施の形態にかかる番組録画装置１００における上述した処理の手順を示すフローチャートである。
【００７０】
まず、番組予約情報管理部１０２が、ハイビジョン画質録画部１０８を制御して、予約対象の番組コンテンツを記録する（ステップＳ８０１）。
【００７１】
その後、番組の録画（番組コンテンツの記憶）を行う際に、画質選択部１０９が、当該番組と対応付けられた、持ち出し先となる携帯電話端末の機種を読み出す（ステップＳ８０２）。その後、当該画質選択部１０９が読み出した携帯電話端末と対応付けられた再生能力を、再生機器管理ＤＢ１０１から読み出して、トランスコードする画質（解像度及びビットレート）を選択する（ステップＳ８０３）。なお、複数の携帯電話端末が持ち出し先として設定されていた場合、当該複数の機種のうち、最も低い再生能力の機種に合わせて、トランスコードする画質を選択する。このように、本実施の形態にかかる番組録画装置１００では、トランスコードする際の画質は、予約番組と共に対応付けられた、持ち出し先の再生機器の機種情報に基づいて決定される。
【００７２】
そして、トランスコード部１１０が、選択された画質になるよう、番組コンテンツをトランスコードする（ステップＳ８０４）。その後、トランスコード部１１０が、トランスコードされた番組コンテンツを番組ＤＢ１０３に記憶する（ステップＳ８０５）。
【００７３】
本実施の形態における番組録画は、上述した処理手順で示したように、予約に従って番組が録画される時に、番組録画とともに、当該番組コンテンツのトランスコードを行うことで、持ち出し用の番組コンテンツを生成する。
【００７４】
なお、トランスコードは、録画時に制限するものではなく、録画した後に行っても良い。つまり、トランスコードは、番組コンテンツを持ち出す前であればいつ行っても良い。
【００７５】
次に、本実施の形態にかかる番組録画装置１００における、可搬記憶媒体１５０に番組コンテンツの出力（ダビング）処理について説明する。図８は、本実施の形態にかかる番組録画装置１００における上述した処理の手順を示すフローチャートである。
【００７６】
まず、可搬記憶媒体接続部１１４は、可搬記憶媒体１５０の接続を受け付ける（ステップＳ７０１）。
【００７７】
次に、番組リスト表示部１１１が、接続された可搬記憶媒体１５０から、持ち出し先となる携帯電話端末の機種名を取得する（ステップＳ７０２）。そして、番組リスト表示部１１１は、取得した携帯電話端末の機種名と、再生機器管理ＤＢ１０１と、から当該携帯電話端末の再生能力を取得する（ステップＳ７０３）。
【００７８】
そして、番組リスト表示部１１１は、番組ＤＢ１０３を参照し、取得した再生能力で再生可能な番組コンテンツを特定する（ステップＳ７０４）。
【００７９】
その後、番組リスト表示部１１１は、特定された番組コンテンツの一覧を表示する（ステップＳ７０５）。
【００８０】
次に、番組選択受付部１１２が、表示された番組コンテンツの一覧から、持ち出す番組コンテンツの選択を受け付ける（ステップＳ７０６）。
【００８１】
そして、番組ダビング部１１３が、選択を受けた番組コンテンツを、可搬記憶媒体１５０にダビング（出力）する（ステップＳ７０７）。
【００８２】
本実施の形態にかかる番組録画装置１００では、複数の再生機器に番組コンテンツを持ち出す際の、番組予約から出力するまでの操作が容易になる。
【００８３】
本実施の形態にかかる番組録画装置１００では、ユーザが持ち出し先の再生機器の再生能力を意識せずに、当該再生機器の再生能力を記憶することとした。これにより、持ち出しを行う際の操作負担を軽減できる。
【００８４】
そして、番組持ち出し時にトランスコードしたい画質を指定するのではなく、持ち出して再生したい機器を選択する。
【００８５】
本実施の形態にかかる番組録画装置１００では、持ち出し再生機器にて再生可能なトランスコード済みの番組コンテンツだけリスト表示、選択できるので、効率的な番組持ち出しを可能とする。
【００８６】
また、本実施の形態にかかる番組録画装置１００では、再生機器管理ＤＢ１０１を参照することで、持ち出し先によっては、可搬記憶媒体１５０に対して、番組コンテンツの自動転送を行うことができる。これにより、操作負担を軽減できる。
【００８７】
なお、本実施の形態においては、番組リスト表示部１１１は、持ち出し先の携帯電話端末で再生可能なものであれば一覧として表示したが、このような表示手法では、持ち出し先として選択されていない番組コンテンツも表示される可能性がある。そこで、トランスコード部１１０が、トランスコードした番組コンテンツを、設定された持ち出し先の携帯電話端末の機種と対応付けて記憶し、番組リスト表示部１１１が、当該対応付けに従って一覧を表示しても良い。
【００８８】
本実施の形態においては、可搬記憶媒体１５０に持ち出し先の携帯電話端末の機種名の他に、既に持ち出した番組コンテンツを特定する情報を含めても良い。これにより、番組録画装置１００は、可搬記憶媒体１５０に記録している特定の番組コンテンツに高速にアクセスでき、それにより番組コンテンツの更新が容易になる。
【００８９】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００９０】
１００…番組録画装置、１０１…再生機器管理ＤＢ、１０２…番組予約情報管理部、１０３…番組ＤＢ、１０４…再生能力取得部、１０５…ＥＰＧ処理部、１０６…番組予約部、１０７…再生機器選択受付部、１０８…ハイビジョン画質録画部、１０９…画質選択部、１１０…トランスコード部、１１１…番組リスト表示部、１１２…番組選択受付部、１１３…番組ダビング部、１１４…可搬記憶媒体接続部、１１５…チューナー、１５０…可搬記憶媒体。
【図１】
2012050029.tif 000003
【図２】
2012050029.tif 000004
【図３】
2012050029.tif 000005
【図４】
2012050029.tif 000006
【図５】
2012050029.tif 000007
【図６】
2012050029.tif 000008
【図７】
2012050029.tif 000009
【図８】
2012050029.tif 000010